(57)【要約】【課題】圧力損失を小さく抑制しつつ、空気を効率良く加熱することが可能な浴室暖房装置を提供すること。【解決手段】浴室暖房装置１は、浴室内の空気の吸込口７と浴室への空気の吹出口８とが形成されたケーシング本体３と、吸込口７と吹出口８とを連通する循環風路１０と、循環風路１０内に設けられ、吸込口７から吸引した空気を吹出口８から吹き出すよう回転駆動されるクロスフローファン２０と、クロスフローファン２０より下流の循環風路１０内に設けられ、クロスフローファン２０からの空気を加熱するシーズヒータ３０と、を備える。シーズヒータ３０は、所定のピッチ間隔を有して螺旋状に巻回されたコイル形状を呈している。クロスフローファン２０とシーズヒータ３０とは、クロスフローファン２０の回転軸ｌ１方向とシーズヒータ３０の軸線ｌ２方向とが略平行となるように、循環風路１０内に設けられている。【選択図】図２
2009222263.tif 000002
【特許請求の範囲】
【請求項１】
浴室内を暖房する浴室暖房装置であって、
前記浴室内の空気の吸込口と前記浴室への空気の吹出口とが形成されたケーシング本体と、
前記ケーシング本体内に設けられ、前記吸込口と前記吹出口とを連通する循環風路と、
前記循環風路内に設けられ、前記吸込口から吸引した空気を前記吹出口から吹き出すよう回転駆動されるクロスフローファンと、
前記クロスフローファンより下流の前記循環風路内に設けられ、前記クロスフローファンからの空気を加熱するシーズヒータと、を備え、
前記シーズヒータは、所定のピッチ間隔を有して螺旋状に巻回されたコイル形状を呈しており、
前記クロスフローファンと前記シーズヒータとは、前記クロスフローファンの回転軸方向と前記シーズヒータの軸線方向とが略平行となると共に前記ケーシング本体の長手方向に沿うように、前記循環風路内に設けられていることを特徴とする浴室暖房装置。
【請求項２】
前記循環風路は、前記クロスフローファンの下流から前記吹出口にかけて前記クロスフローファンの回転軸方向から見て略円弧状に湾曲した形状とされた風路部分を有し、
前記シーズヒータは、前記風路部分に設けられており、
前記風路部分には、前記シーズヒータにおける前記風路部分の内周側となる領域に向かう空気の流量を増加させる風向手段が設けられていることを特徴とする請求項１に記載の浴室暖房装置。
【請求項３】
前記風向手段は、前記風路部分を画成する内周側壁部又は外周側壁部に設けられていることを特徴とする請求項２に記載の浴室暖房装置。
【請求項４】
前記内周側壁部及び前記外周側壁部は、互いに沿うように前記クロスフローファンの回転軸方向から見て略円弧状に湾曲した形状とされており、
前記風向手段は、前記内周側壁部の途中部分が前記シーズヒータに近接していることにより構成されていることを特徴とする請求項３に記載の浴室暖房装置。
【請求項５】
前記風向手段は、前記外周側壁部から前記内周側壁部に向けて突設された風向部であることを特徴とする請求項３に記載の浴室暖房装置。
【請求項６】
前記風向手段は、前記シーズヒータを前記風路部分の外周側にオフセットして配置することにより構成されていることを特徴とする請求項２に記載の浴室暖房装置。
【発明の詳細な説明】
【技術分野】
【０００１】
本発明は、浴室内を暖房する浴室暖房装置に関する。
【背景技術】
【０００２】
浴室暖房装置として、浴室の空気を温水と熱交換させるための熱交換器と、熱交換器によって加熱された空気を浴室内に吹き出させるためのクロスフローファンと、を備えたものが知られている（例えば、特許文献１参照）。
【特許文献１】特開２００４−６０８９５号公報
【発明の開示】
【発明が解決しようとする課題】
【０００３】
一般に、浴室に送り出される空気を効率良く加熱する手法として、熱交換器等の加熱手段を空気の流路断面に対して密に配置して、加熱手段と空気との接触面積を大きくすることが考えられる。しかしながら、加熱手段を空気の流路断面に対して密に配置すると、加熱手段は空気の流れに対して大きな抵抗となってしまう。
【０００４】
ところで、クロスフローファンは、低い回転数であっても大きな送風量が得られるものの、流路における埃詰まりなどにより圧力損失が大きくなると、送風量が大幅に減少することとなる。このため、加熱手段が空気の流れに対して大きな抵抗となっていると、所望の送風量が得られなくなるという問題が生じてしまう。また、所望の送風量を得るために、クロスフローファンの回転数を高くすると、大きな騒音が発生するという問題が新たに生じてしまう。
【０００５】
そこで、本発明は、圧力損失を小さく抑制しつつ、空気を効率良く加熱することが可能な浴室暖房装置を提供することを課題とする。
【課題を解決するための手段】
【０００６】
本発明に係る浴室暖房装置は、浴室内を暖房する浴室暖房装置であって、浴室内の空気の吸込口と浴室への空気の吹出口とが形成されたケーシング本体と、ケーシング本体内に設けられ、吸込口と吹出口とを連通する循環風路と、循環風路内に設けられ、吸込口から吸引した空気を吹出口から吹き出すよう回転駆動されるクロスフローファンと、クロスフローファンより下流の循環風路内に設けられ、クロスフローファンからの空気を加熱するシーズヒータと、を備え、シーズヒータは、所定のピッチ間隔を有して螺旋状に巻回されたコイル形状を呈しており、クロスフローファンとシーズヒータとは、クロスフローファンの回転軸方向とシーズヒータの軸線方向とが略平行となると共にケーシング本体の長手方向に沿うように、循環風路内に設けられている。
【０００７】
本発明では、クロスフローファンからの空気を加熱する手段としてシーズヒータを採用している。そして、このシーズヒータは、所定のピッチ間隔を有して螺旋状に巻回されたコイル形状を呈していると共に、その軸線方向がクロスフローファンの回転軸方向と略平行となるように循環風路内に設けられている。クロスフローファンからの空気は、シーズヒータと接触し熱交換を行うことで加熱される。クロスフローファンからの空気には、シーズヒータと接触することなくピッチ間を通過してシーズヒータの巻回内側に進入する空気も存在するものの、この空気もシーズヒータの巻回内側からシーズヒータの外部に出る際に、シーズヒータにおける下流側の部分と接触して熱交換を行う。したがって、シーズヒータと空気との接触面積が確保され、クロスフローファンからの空気を効率よく加熱することができる。
【０００８】
また、本発明では、クロスフローファンからの空気の流れは、上流側からシーズヒータの巻回内側に進入し、さらにこの巻回内側から外部に出る過程で緩やかに進行方向を変えられるため、シーズヒータが大きな抵抗となるようなことはなく、圧力損失が小さく抑制される。この結果、所望の送風量をより低回転数にて得ることができ、騒音が大きくなるのを防ぐことができる。また、本発明では、クロスフローファンの回転軸がケーシング本体の長手方向に沿うように配置されているので、クロスフローファンの回転数を低回転に抑えた場合であっても所望の送風量を得ることができる。
【０００９】
好ましくは、循環風路が、クロスフローファンの下流から吹出口にかけてクロスフローファンの回転軸方向から見て略円弧状に湾曲した形状とされた風路部分を有し、シーズヒータが、風路部分に設けられており、風路部分には、シーズヒータにおける風路部分の内周側となる領域に向かう空気の流量を増加させる風向手段が設けられている。クロスフローファンの回転軸方向から見て略円弧状に湾曲した形状とされた風路部分では、クロスフローファンからの空気が有する慣性のため、内周側での流量が外周側での流量に比して少なくなってしまう。このため、シーズヒータにおける風路部分の内周側となる領域での熱交換が不十分となり、当該領域が高温となる懼れがある。これに対して、風路部分に上記風向手段を設けることにより、シーズヒータにおける風路部分の内周側となる領域での熱交換が促進され、当該領域が高温となるのを防ぐことができると共に、クロスフローファンからの空気をより一層効率良く加熱することができる。
【００１０】
好ましくは、上記風向手段が、風路部分を画成する内周側壁部又は外周側壁部に設けられている。この場合、風向手段が、クロスフローファンからの空気の流れに対して抵抗となり難く、風向手段による圧力損失を抑制することができる。
【００１１】
好ましくは、内周側壁部及び外周側壁部が、互いに沿うようにクロスフローファンの回転軸方向から見て略円弧状に湾曲した形状とされており、上記風向手段が、内周側壁部の途中部分がシーズヒータに近接していることにより構成されている。この場合、その粘性によって内周側壁部の湾曲に沿って空気が流れ、シーズヒータと近接している途中部分において熱交換を行わせることができる。風向手段を極めて簡易な構成にて実現することができる。
【００１２】
好ましくは、上記風向手段が、外周側壁部から内周側壁部に向けて突設された風向部である。この場合、風路部分の中央部に整流板などを設けて圧力損失を増大させること無く、風向手段を極めて簡易な構成にて実現することができる。
【００１３】
好ましくは、上記風向手段が、シーズヒータを風路部分の外周側にオフセットして配置することにより構成されている。クロスフローファンの回転軸方向から見て略円弧状に湾曲した形状とされた風路部分では、クロスフローファンからの空気が有する慣性のため、外周側での流量が内周側に比して多くなる。したがって、シーズヒータを外周側にオフセットさせることで、シーズヒータ全体に送られる流量を高め、より効率的に熱交換を行わせることができる。また、風向手段を極めて簡易な構成にて実現することができる。
【発明の効果】
【００１４】
本発明によれば、圧力損失を小さく抑制しつつ、空気を効率良く加熱することが可能な浴室暖房装置を提供することができる。
【発明を実施するための最良の形態】
【００１５】
以下、添付図面を参照して、本発明の好適な実施形態について詳細に説明する。なお、説明において、同一要素又は同一機能を有する要素には、同一符号を用いることとし、重複する説明は省略する。
【００１６】
図１〜図５を参照して、本実施形態に係る浴室暖房装置１について説明する。浴室暖房装置１は、図１に示されるように、浴室の天井２に設置されており、浴室内の空気を循環させながら加熱し、浴室内を暖房させる。
【００１７】
浴室暖房装置１は、図２及び図３に示されるように、ケーシング本体３、循環風路１０、クロスフローファン２０、及びシーズヒータ３０を備えている。
【００１８】
ケーシング本体３は、箱体４と、内部グリル５と、表面グリル６と、を有している。箱体４は、天井裏に配置されており、下方が開放している。内部グリル５は、箱体４の下方を覆うように、天井２に配置されている。表面グリル６は、内部グリル５に対し所定の間隔を置いた状態で、内部グリル５を覆うように配置されている。内部グリル５の端部と表面グリル６の端部との間が、浴室内の空気の吸込口７として機能する。表面グリル６には、浴室への空気の吹出口８として機能する開口部が形成されている。これらにより、ケーシング本体３には、吸込口７と吹出口８とが形成されることとなる。
【００１９】
循環風路１０は、ケーシング本体３（箱体４）内に設けられており、吸込口７と吹出口８とを連通している。循環風路１０は、箱体４内に配置された風路ケース１１により構成されている。風路ケース１１は、その一端の開口部１１ａが内部グリル５に形成された開口部５ａに接続され、他端の開口部１１ｂが吹出口８に接続されている。内部グリル５には、風路ケース１１の他端が貫通する開口部５ｂが形成されている。
【００２０】
クロスフローファン２０は、循環風路１０内に設けられ、吸込口７から吸われた空気を吹出口８から吹き出すよう回転駆動される。クロスフローファン２０は、図４にも示されるように、回転軸ｌ１方向に所定の間隔を置いた状態で互いに略平行に並設された複数枚の側板２１と、環状に各側板２１の間に架設された複数枚のブレード２２と、を有している。クロスフローファン２０の一端には、クロスフローファン２０を回転駆動する駆動モータ２３が接続されている。
【００２１】
箱体４は、クロスフローファン２０の回転軸ｌ１を含む水平面で切断した際の断面形状がクロスフローファン２０の回転軸ｌ１を長手方向とする略長方形状を呈している。すなわち、クロスフローファン２０は、箱体４の長手方向に沿って配置されている。
【００２２】
循環風路１０は、クロスフローファン２０の回転軸ｌ１方向から見て、略逆Ｕ字状を呈している。すなわち、吸込口７から上方に向けて伸びる第１の風路部分１０ａと、第１の風路部分１０ａに連続し且つ吹出口８に向けて下方に向けて伸びる第２の風路部分１０ｂと、を含んでいる。クロスフローファン２０は、第１の風路部分１０ａに配置されている。第１の風路部分１０ａの、クロスフローファン２０の回転軸ｌ１を含む水平面で切断した際の断面形状は、クロスフローファン２０の回転軸ｌ１を長手方向とする略長方形状であり、第１の風路部分１０ａの長手方向での長さ及び短手方向での長さは、それぞれクロスフローファン２０の全長及び外径より僅かに大きい値に設定されている。
【００２３】
シーズヒータ３０は、クロスフローファン２０より下流の循環風路１０内に設けられ、クロスフローファン２０からの空気を加熱する。シーズヒータ３０は、図５に示されるように、所定のピッチ間隔（各巻き回し部分の間隔）を有して螺旋状に巻回されたコイル形状を呈している。すなわち、シーズヒータ３０では、隣り合う巻き回し部分同士が互いに接触しておらず、軸線ｌ２方向に離れている。なお、シーズヒータ３０のピッチ間隔は、すべて同じ値に設定されている必要は無く、部分的に異なる値に設定されていてもよい。
【００２４】
シーズヒータ３０は、第２の風路部分１０ｂに配置されている。第２の風路部分１０ｂは、クロスフローファン２０の回転軸ｌ１方向から見て、略円弧状に湾曲した形状とされている。第２の風路部分１０ｂの、クロスフローファン２０の回転軸ｌ１を含む水平面で切断した際の断面形状は、クロスフローファン２０の回転軸ｌ１を長手方向とする略長方形状であり、シーズヒータ３０は、第２の風路部分１０ｂ内を長手方向にわって横切るように伸びている。
【００２５】
クロスフローファン２０とシーズヒータ３０とは、図３にも示されるように、クロスフローファン２０の回転軸ｌ１方向とシーズヒータ３０の軸線ｌ２方向とが略平行となるように、循環風路１０内に設けられている。クロスフローファン２０とシーズヒータ３０とは、クロスフローファン２０の回転軸ｌ１とシーズヒータ３０の軸線ｌ２との高さ位置が略同じとなるように、すなわちクロスフローファン２０の回転軸ｌ１とシーズヒータ３０の軸線ｌ２とが同じ水平面に略含まれるように、配置されている。シーズヒータ３０は、図２に示されるように、シーズヒータ３０の軸線ｌ２方向（クロスフローファン２０の回転軸ｌ１方向）から見て、第２の風路部分１０ｂの外周側にオフセットして配置されている。
【００２６】
第２の風路部分１０ｂは、図２及び図３に示されるように、主に、内周側壁部１２と、外周側壁部１３と、内周側壁部１２と外周側壁部１３とを連結するように伸びる一対の端壁部１４と、により画成されている。内周側壁部１２及び外周側壁部１３は、互いに沿うようにクロスフローファン２０の回転軸ｌ１方向から見て略円弧状に湾曲した形状とされている。内周側壁部１２は、上述した略円弧状に湾曲した形状とされていることから、内周側壁部１２の途中部分がシーズヒータ３０に近接することとなる。
【００２７】
箱体４の上部には、駆動モータ２３及びシーズヒータ３０等の動作を制御する制御ユニット４０が設けられている。駆動モータ２３は、制御ユニット４０から出力される制御信号に基づいて、回転状態が制御される。シーズヒータ３０は、制御ユニット４０から出力される制御信号に基づいて、発熱状態が制御される。
【００２８】
続いて、図２及び図６を参照して、上述した構成の浴室暖房装置１の動作について説明する。図２及び図６では、空気の流れを矢印付の二点鎖線にて示している。
【００２９】
クロスフローファン２０が回転駆動されると、図２に示されるように、浴室内の空気が吸込口７から浴室暖房装置１内に導入され、浴室暖房装置１内に導入された空気は、開口部５ａを通って、第１の風路部分１０ａに導かれる。第１の風路部分１０ａに導かれた空気は、クロスフローファン２０により第２の風路部分１０ｂに送り出される。第２の風路部分１０ｂに送り出された空気は、シーズヒータ３０を通過する際に、シーズヒータ３０と接触し熱交換を行うことで加熱される。このとき、空気は、図６に示されるように、シーズヒータ３０のピッチ間（巻き回し部分間）にも流れる。シーズヒータ３０により加熱された空気は、吹出口８を通して、浴室内に送り出される。
【００３０】
以上のように、本実施形態においては、シーズヒータ３０が、所定のピッチ間隔を有して螺旋状に巻回されたコイル形状を呈していると共に、その軸線ｌ２方向がクロスフローファン２０の回転軸ｌ１方向と略平行となるように循環風路１０内に設けられている。クロスフローファン２０からの空気には、シーズヒータ３０と接触することなくピッチ間を通過してシーズヒータ３０の巻回内側に進入する空気も存在する。しかしながら、シーズヒータ３０と接触することなくシーズヒータ３０の巻回内側に進入する空気も、シーズヒータ３０の巻回内側からシーズヒータ３０の外部に出る際に、シーズヒータ３０の各巻き回し部分における下流側の部分と接触して熱交換を行う。したがって、シーズヒータ３０と空気との接触面積が確保され、クロスフローファン２０からの空気を効率よく加熱することができる。
【００３１】
また、本実施形態においては、上流側からシーズヒータ３０の巻回内側に進入し、さらにこの巻回内側から外部に出る過程で緩やかに進行方向を変えられるため、シーズヒータ３０が大きな抵抗となるようなことはなく、圧力損失が小さく抑制される。この結果、浴室暖房装置１では、所望の送風量をより低回転数にて得ることができ、騒音が大きくなるのを防ぐことができる。
【００３２】
ところで、図７に示されるように、第２の風路部分１０ｂが、クロスフローファン２０の回転軸ｌ１方向から見て略円弧状に湾曲した形状とされている場合、この第２の風路部分１０ｂでは、クロスフローファンからの空気が有する慣性のため、内周側での流量が外周側での流量に比して少なくなってしまう。図７に示された浴室暖房装置１では、クロスフローファン２０とシーズヒータ３０とが、クロスフローファン２０の回転軸ｌ１方向とシーズヒータ３０の軸線ｌ２方向とが略平行となるように、循環風路１０内に設けられているものの、内周側壁部１２が外周側壁部１３と沿うことなく、下方に伸びている。図７では、空気の流れを矢印付の二点鎖線にて示している。
【００３３】
図７に示された浴室暖房装置１のように、第２の風路部分１０ｂでの内周側での流量がその外周側での流量に比して少なくなってしまうと、シーズヒータ３０における第２の風路部分１０ｂの内周側となる領域での熱交換が不十分となってしまう。また、シーズヒータ３０における第２の風路部分１０ｂの内周側となる領域が高温となって、シーズヒータ３０の寿命が低下する懼れもある。
【００３４】
これに対して、本実施形態においては、内周側壁部１２が、外周側壁部１３と沿うようにクロスフローファン２０の回転軸ｌ１方向から見て略円弧状に湾曲した形状とされていることから、その粘性によって内周側壁部１２に沿って流れる空気の流量が増加する。そして、内周側壁部１２の途中部分がシーズヒータ３０に近接していることもあって、シーズヒータ３０における第２の風路部分１０ｂの内周側となる領域に向かう空気の流量が増加することとなる。この結果、シーズヒータ３０における第２の風路部分１０ｂの内周側となる領域での熱交換が促進され、クロスフローファン２０からの空気をより一層効率良く加熱することができる。また、シーズヒータ３０における第２の風路部分１０ｂの内周側となる領域が高温となるのを防ぐことができ、シーズヒータ３０の長寿命化を図ることもできる。
【００３５】
また、本実施形態では、シーズヒータ３０がシーズヒータ３０の軸線ｌ２方向から見て第２の風路部分１０ｂの外周側にオフセットして配置されている。第２の風路部分１０ｂでは、クロスフローファンからの空気が有する慣性のため、外周側での流量が内周側に比して多くなる。したがって、シーズヒータ３０を外周側にオフセットさせることで、シーズヒータ３０全体に送られる流量を高め、より効率的に熱交換を行わせることができる。この結果、クロスフローファン２０からの空気の加熱効率を高めることができる。また、シーズヒータ３０における第２の風路部分１０ｂの内周側となる領域に向かう空気の流量が増加することとなり、シーズヒータ３０の長寿命化を図ることもできる。
【００３６】
上述したように、本実施形態では、内周側壁部１２の形状及びシーズヒータ３０の位置により、シーズヒータ３０における第２の風路部分１０ｂの内周側となる領域に向かう空気の流量を増加させている。したがって、第２の風路部分１０ｂ内に新たに整流板を設けるといった構成などに比して、クロスフローファン２０からの空気の流れに対して抵抗となるようなことはなく、圧力損失が増加するといった不具合を招くことはない。また、シーズヒータ３０における第２の風路部分１０ｂの内周側となる領域に向かう空気の流量を増加させ得る構成を、極めて簡易な構成にて実現することができる。
【００３７】
本実施形態では、クロスフローファン２０は、箱体４の長手方向に沿って配置されている。このため、クロスフローファン２０として大型のものを採用することが可能であり、この場合には、所望の送風量をより一層低回転数にて得ることができ、騒音を低く抑えることができる。
【００３８】
続いて、図８を参照して、本実施形態に係る浴室暖房装置１の変形例について説明する。変形例に係る浴室暖房装置１も、ケーシング本体３、循環風路１０、クロスフローファン２０、及びシーズヒータ３０を備えている。
【００３９】
図８に示されるように、第２の風路部分１０ｂを画成する外周側壁部１３に、外周側壁部１３から内周側壁部１２に向けて突設された風向部１５が設けられている。風向部１５は、外周側壁部１３に沿う空気の流れをシーズヒータ３０における第２の風路部分１０ｂの内周側となる領域に向かわせている。図８では、空気の流れを矢印付の二点鎖線にて示している。
【００４０】
これにより、シーズヒータ３０における第２の風路部分１０ｂの内周側となる領域に向かう空気の流量が増加して、当該領域での熱交換が促進されることとなる。この結果、クロスフローファン２０からの空気をより一層効率良く加熱することができる。また、シーズヒータ３０における第２の風路部分１０ｂの内周側となる領域が高温となるのを防ぎ、シーズヒータ３０の長寿命化を図ることもできる。
【００４１】
また、外周側壁部１３に風向部１５を設けるという極めて簡易な構成にて、第２の風路部分１０ｂの内周側となる領域に向かう空気の流量を増加させ得る構成を実現することができる。もちろん、第２の風路部分１０ｂ内に新たに整流板を設けるといった構成などに比して、圧力損失が増加するといった不具合を招くようなことはない。
【００４２】
以上、本発明の好適な実施形態について説明してきたが、本発明は必ずしも上述した実施形態に限定されるものではなく、その要旨を逸脱しない範囲で様々な変更が可能である。
【００４３】
本実施形態では、内周側壁部１２の湾曲形状及びシーズヒータ３０のオフセット配置により、シーズヒータ３０における第２の風路部分１０ｂの内周側となる領域に向かう空気の流量を増加させているが、内周側壁部１２の湾曲形状及びシーズヒータ３０のオフセット配置のうちいずれか一方により、シーズヒータ３０における第２の風路部分１０ｂの内周側となる領域に向かう空気の流量を増加させるようにしてもよい。
【００４４】
本実施形態では、クロスフローファン２０とシーズヒータ３０とが、クロスフローファン２０の回転軸ｌ１とシーズヒータ３０の軸線ｌ２との高さ位置が略同じとなるように配置されているが、これに限られない。クロスフローファン２０とシーズヒータ３０とは、クロスフローファン２０の回転軸ｌ１とシーズヒータ３０の軸線ｌ２との高さ位置が異なるように配置されていてもよい。
【００４５】
本実施形態では、浴室暖房装置１は浴室の天井２に設置されているが、これに限られること無く、浴室の側壁に設置されていてもよい。また、本実施形態は、浴室内の空気を浴室外に排出する第３の風路部分を第１の風路部分１０ａに接続するように新たに設け、クロスフローファン２０からの空気を第２の風路部分１０ｂと第３の風路部分とに切り替えて送るように構成してもよい。
【図面の簡単な説明】
【００４６】
【図１】本実施形態に係る浴室暖房装置を浴室の天井に設置した状態を示す斜視図である。
【図２】本実施形態に係る浴室暖房装置の断面構成を示す図である。
【図３】図２のIII−III線に沿った断面構成を示す図である。
【図４】クロスフローファンを示す斜視図である。
【図５】シーズヒータを示す斜視図である。
【図６】シーズヒータを通る空気の流れを説明するための図である。
【図７】本実施形態に係る浴室暖房装置の変形例の断面構成を示す図である。
【図８】本実施形態に係る浴室暖房装置の変形例の断面構成を示す図である。
【符号の説明】
【００４７】
１…浴室暖房装置、２…天井、３…ケーシング本体、７…吸込口、８…吹出口、１０…循環風路、１０ａ…第１の風路部分、１０ｂ…第２の風路部分、１２…内周側壁部、１３…外周側壁部、１５…風向部、２０…クロスフローファン、３０…シーズヒータ、ｌ１…クロスフローファンの回転軸、ｌ２…シーズヒータの軸線。
【図１】
2009222263.tif 000003
【図２】
2009222263.tif 000004
【図３】
2009222263.tif 000005
【図４】
2009222263.tif 000006
【図５】
2009222263.tif 000007
【図６】
2009222263.tif 000008
【図７】
2009222263.tif 000009
【図８】
2009222263.tif 000010